(57)【要約】【課題】  道路の走行路線のうち対向路線側車線の渋滞が、対向路線を通り曲がる自動車に起因する渋滞であるとき、このような渋滞に巻き込まれない案内をするようにしたナビゲーション装置及びナビゲーション方法を提供する。【解決手段】  進入右側車線Ｒｒの渋滞の有無及び進入右側車線Ｒｒ以外の渋滞の有無から進入右側車線Ｒｒの渋滞が右折車のために引き起こされた右折渋滞であるか否かを判定する。右折渋滞であると判定された進入右側車線Ｒｒが案内経路であれば、その渋滞状況及び進入右側車線Ｒｒへの車線変更案内を余裕をもってユーザに報知する。また、その進入右側車線Ｒｒが案内経路でなければ、その渋滞状況及びその渋滞回避のための推奨車線を余裕をもってユーザに報知する。【選択図】    図３
2005249655.tif 000002
【特許請求の範囲】
【請求項１】
現在位置を検出する現在位置検出手段と、
地図データを記憶してなる記憶手段と、
外部よりプローブ情報を受信する受信手段と、
前記現在位置及び前記地図データに基づき、道路の前方の所定距離内に交差点が存在するか否かを判定する交差点判定手段と、
前記交差点が前記所定距離内に存在するとの前記交差点判定手段による判定に伴い、前記道路のうち対向路線側車線が渋滞しているか否かを前記プローブ情報に基づき判定する第１渋滞判定手段と、
前記対向路線側車線が渋滞しているとの前記第１渋滞判定手段による判定に伴い、前記対向路線側車線の渋滞が前記対向路線を通り曲がる自動車に起因する渋滞であるか否かを判定する第２渋滞判定手段と、
前記対向路線側車線の渋滞が前記対向路線を通り曲がる自動車に起因する渋滞であると前記第２渋滞判定手段により判定された際には、走行案内情報を報知する報知手段とを備えたナビゲーション装置。
【請求項２】
前記対向路線側車線の渋滞が前記対向路線を通り曲がる自動車に起因する渋滞でないと前記第２渋滞判定手段により判定された際には、
前記報知手段は、渋滞情報を報知することを特徴とする請求項１に記載のナビゲーション装置。
【請求項３】
前記走行案内情報は車線変更情報又は推奨車線情報であることを特徴とする請求項１或いは２に記載のナビゲーション装置。
【請求項４】
前記第２渋滞判定手段は、その判定を、前記プローブ情報に基づいて前記対向路線側車線以外の車線が渋滞であるか否かを判定することでもって行うことを特徴とする請求項１〜３のいずれか１つに記載のナビゲーション装置。
【請求項５】
前記受信手段は、外部より道路交通情報を受信し、
前記第２渋滞判定手段は、その判定を、前記交通道路情報に基づいて前記交差点の所定範囲内において車線規制があるか否かを判定することでもって行うことを特徴とする請求項１〜３のいずれか１つに記載のナビゲーション装置。
【請求項６】
前記第２渋滞判定手段は、その判定を、前記プローブ情報に基づいて前記交差点の所定範囲内において前記対向路線を通り曲がるように方向指示する自動車の割合が所定割合以上であるか否かを判定することでもって行うことを特徴とする請求項１〜３のいずれか１つに記載のナビゲーション装置。
【請求項７】
前記受信手段は、外部より道路交通情報を受信し、
前記第２渋滞判定手段は、その判定を、前記交通道路情報に基づいて前記対向路線を通り曲がった先が渋滞であるか否かを判定することでもって行うことを特徴とする請求項１〜３のいずれか１つに記載のナビゲーション装置。
【請求項８】
前記対向路線側車線の渋滞が前記対向路線を通り曲がる自動車に起因する渋滞であると前記第２渋滞判定手段により判定された際に、案内経路が探索済みであるか否かを判定する第１経路判定手段と、
前記案内経路が探索済みと前記第１経路判定手段により判定された際には、前記案内経路は前記渋滞に係る対向路線側車線以外の車線を含むか否かを判定する第２経路判定手段とを備え、
前記報知手段は、前記案内経路が前記渋滞に係る対向路線側車線以外の車線を含むと前記第２経路判定手段により判定された際には、前記走行案内情報として推奨車線情報を報知し、前記案内経路が前記渋滞に係る対向路線側車線以外の車線を含まないと前記第２経路判定手段により判定された際には、前記走行案内情報として車線変更情報を報知することを特徴とする請求項１〜７のいずれか１つに記載のナビゲーション装置。
【請求項９】
現在位置を検出する現在位置検出手段と、
地図データを記憶してなる記憶手段と、
外部よりプローブ情報を受信する受信手段と、
前記現在位置、前記地図データ及び前記プローブ情報に基づき、道路の前方において対向路線を通り曲がる自動車に起因する対向路線側車線の渋滞があるか否かを判定する渋滞判定手段と、
前記対向路線側車線の渋滞が前記対向路線を通り曲がる自動車に起因する渋滞であると前記渋滞判定手段により判定された際には、走行案内情報を報知する報知手段とを備えたナビゲーション装置。
【請求項１０】
現在位置を検出する現在位置検出手段と、
地図データを記憶してなる記憶手段と、
外部よりプローブ情報を受信する受信手段と、
前記現在位置及び前記地図データに基づき、道路の前方の所定距離内に分岐路が存在するか否かを判定する分岐路判定手段と、
前記分岐路が前記所定距離内に存在するとの前記分岐路判定手段による判定に伴い、前記道路のうち前記分岐路に進入する分岐路側車線が渋滞しているか否かを前記プローブ情報に基づき判定する第１渋滞判定手段と、
前記分岐路側車線が渋滞しているとの前記第１渋滞判定手段による判定に伴い、前記分岐路側車線の渋滞が前記分岐路に進入する自動車に起因する渋滞であるか否かを判定する第２渋滞判定手段と、
前記分岐路側車線の渋滞が前記分岐路に進入する自動車に起因する渋滞であると前記第２渋滞判定手段により判定された際には、走行案内情報を報知する報知手段とを備えたナビゲーション装置。
【請求項１１】
前記分岐路側車線の渋滞が前記分岐路に進入する自動車に起因する渋滞でないと前記第２渋滞判定手段により判定された際には、
前記報知手段は、渋滞情報を報知することを特徴とする請求項１０に記載のナビゲーション装置。
【請求項１２】
前記走行案内情報は車線変更情報又は推奨車線情報であることを特徴とする請求項１０或いは１１に記載のナビゲーション装置。
【請求項１３】
前記第２渋滞判定手段は、その判定を、前記プローブ情報に基づいて前記分岐路側車線以外の車線が渋滞であるか否かを判定することでもって行うことを特徴とする請求項１０〜１２のいずれか１つに記載のナビゲーション装置。
【請求項１４】
前記受信手段は、外部から道路交通情報を受信し、
前記第２渋滞判定手段は、その判定を、前記交通道路情報に基づいて前記分岐路の所定範囲内において車線規制があるか否かを判定することでもって行うことを特徴とする請求項１０〜１２のいずれか１つに記載のナビゲーション装置。
【請求項１５】
前記第２渋滞判定手段は、その判定を、前記プローブ情報に基づいて前記分岐路の所定範囲内において前記分岐路に進入するように方向指示する自動車の割合が所定割合以上であるか否かを判定することでもって行うことを特徴とする請求項１０〜１２のいずれか１つに記載のナビゲーション装置。
【請求項１６】
前記受信手段は、外部から道路交通情報を受信し、
前記第２渋滞判定手段は、その判定を、前記交通道路情報に基づいて前記分岐路に進入した先が渋滞であるか否かを判定することでもって行うことを特徴とする請求項１０〜１２のいずれか１つに記載のナビゲーション装置。
【請求項１７】
前記第２渋滞判定手段は、その判定を、前記道路交通情報に基づいて前記道路において分岐路以降が渋滞であるか否かを判定することでもって行うことを特徴とする請求項１０〜１２のいずれか１つに記載のナビゲーション装置。
【請求項１８】
前記分岐路側車線の渋滞が前記分岐路に進入する自動車に起因する渋滞であると前記第２渋滞判定手段により判定された際に、案内経路が探索済みであるか否かを判定する第１経路判定手段と、
前記案内経路が探索済みと前記第１経路判定手段により判定された際には、前記案内経路は前記渋滞に係る分岐路側車線以外の車線を含むか否かを判定する第２経路判定手段とを備え、
前記報知手段は、前記案内経路が前記渋滞に係る分岐路側車線以外の車線を含むと前記第２経路判定手段により判定された際には、前記走行案内情報として推奨車線情報を報知し、前記案内経路が前記渋滞に係る分岐路側車線以外の車線を含まないと前記第２経路判定手段により判定された際には、前記走行案内情報として車線変更情報を報知することを特徴とする請求項９〜１７のいずれか１つに記載のナビゲーション装置。
【請求項１９】
現在位置及び地図データに基づき、道路の前方の所定距離内に交差点が存在するか否かを判定し、前記所定距離内に交差点が存在するとき、プローブ情報に基づき前記道路のうち対向路線側車線が渋滞している場合に、前記対向路線側車線の渋滞が対向路線を通り曲がる自動車に起因する渋滞であるか否かを判定し、
前記対向路線側車線の渋滞が前記対向路線を通り曲がる自動車に起因する渋滞であるとの判定の際には、走行案内情報を報知し、
前記対向路線側車線の渋滞が前記対向路線を通り曲がる自動車に起因する渋滞でないとの判定の際には、渋滞情報を報知するようにしたナビゲーション方法。
【請求項２０】
現在位置、地図データ及びプローブ情報に基づき、道路の前方において、対向路線を通り曲がる自動車に起因する対向路線側車線が渋滞している場合に、前記対向路線側車線の渋滞が前記対向路線を通り曲がる自動車に起因する渋滞であるか否かを判定し、
前記対向路線側車線の渋滞が前記対向路線を通り曲がる自動車に起因する渋滞であるとの判定の際には、走行案内情報を報知するようにしたナビゲーション方法。
【請求項２１】
現在位置及び地図データに基づき、道路の前方の所定距離内に分岐路が存在するか否かを判定し、前記所定距離内に分岐路が存在するとき、プローブ情報に基づき前記道路のうち分岐路側車線が渋滞していると判定された場合に前記分岐路側車線の渋滞が前記分岐路に進入する自動車に起因する渋滞であるか否かを判定し、
前記分岐路側車線の渋滞が前記分岐路に進入する自動車に起因する渋滞であるとの判定の際には、走行案内情報を報知し、
前記分岐路側車線の渋滞が前記分岐路に進入する自動車に起因する渋滞でないとの判定の際には、渋滞情報を報知するようにしたナビゲーション方法。
【発明の詳細な説明】
【技術分野】
【０００１】
本発明は、ナビゲーション装置及びナビゲーション方法に関する。
【背景技術】
【０００２】
従来、例えば、下記特許文献１に開示された経路誘導装置のように、案内経路において右折を予定している交差点が渋滞している場合、通常より早いタイミングで右側車線への車線変更を案内するものがある。
【特許文献１】特開平１１−２２３５３１号公報
【発明の開示】
【発明が解決しようとする課題】
【０００３】
しかし、上記経路誘導装置では、上述のように右側車線への車線変更が通常よりも早いタイミングにて案内されるにすぎないため、例えば、自動車が右側車線をそのまま直進走行する場合には、当該自動車が他車による上記交差点の右折に起因する渋滞に巻き込まれてしまうおそれがある。
【０００４】
そこで、本発明は、以上のようなことに対処するため、道路の走行路線のうち対向路線側車線の渋滞が、対向路線を通り曲がる自動車に起因する渋滞であるとき、このような渋滞に巻き込まれない案内をするようにしたナビゲーション装置及びナビゲーション方法を提供することを目的とする。
【０００５】
また、本発明は、以上のようなことに対処するため、道路の走行路線のうち分岐路側車線の渋滞が、当該分岐路側車線から分岐路に進入する自動車に起因する渋滞であるとき、このような渋滞に巻き込まれない案内をするようにしたナビゲーション装置及びナビゲーション方法を提供することを目的とする。
【課題を解決するための手段】
【０００６】
上記課題の解決にあたり、本発明に係るナビゲーション装置は、
現在位置を検出する現在位置検出手段（１０）と、
地図データを記憶してなる記憶手段（４０）と、
外部よりプローブ情報を受信する受信手段（５０）と、
現在位置及び地図データに基づき、道路の前方の所定距離内に交差点が存在するか否かを判定する交差点判定手段（２００）と、
交差点が所定距離内に存在するとの交差点判定手段による判定に伴い、道路のうち対向路線側車線（Ｒｒ）が渋滞しているか否かをプローブ情報に基づき判定する第１渋滞判定手段（３００）と、
上記対向路線側車線が渋滞しているとの上記第１渋滞判定手段による判定に伴い、対向路線側車線の渋滞が対向路線を通り曲がる自動車に起因する渋滞であるか否かを判定する第２渋滞判定手段（３１０）と、
上記対向路線側車線の渋滞が上記対向路線を通り曲がる自動車に起因する渋滞であると上記第２渋滞判定手段により判定された際には、走行案内情報を報知する報知手段（６０）とを備える。
【０００７】
これによれば、道路の前方の所定距離内に存在する交差点に進入する対向路線側車線が渋滞である場合において、当該対向路線側車線の渋滞が対向路線を通り曲がる自動車に起因する渋滞である場合には、走行案内情報を報知する。従って、ユーザは、事前にその渋滞に対する走行案内情報を把握することができるので、例えば自車を、無関係な渋滞に巻き込まれないように走行させることができる。
【０００８】
また、本発明に係るナビゲーション装置においては、対向路線側車線の渋滞が対向路線を通り曲がる自動車に起因する渋滞でないと上記第２渋滞判定手段により判定された際には、報知手段は、渋滞情報を報知してもよい。
【０００９】
これによれば、対向路線側車線の渋滞が対向路線を通り曲がる自動車に起因する渋滞でない場合には、渋滞情報を報知することで、ユーザは、事前にその渋滞情報を把握することができる。
【００１０】
また、本発明に係るナビゲーション装置においては、上記第２渋滞判定手段は、その判定を、プローブ情報に基づいて上記対向路線側車線以外の車線が渋滞であるか否かを判定することでもって行ってもよい。
【００１１】
また、本発明に係るナビゲーション装置においては、受信手段は、外部より道路交通情報を受信し、上記第２渋滞判定手段は、その判定を、交通道路情報に基づいて上記交差点の所定範囲内において車線規制があるか否かを判定することでもって行ってもよい。
【００１２】
また、本発明に係るナビゲーション装置においては、上記第２渋滞判定手段は、その判定を、プローブ情報に基づいて上記交差点の所定範囲内において当該対向路線を通り曲がるように方向指示する自動車の割合が所定割合以上であるか否かを判定することでもって行ってもよい。
【００１３】
また、本発明に係るナビゲーション装置においては、受信手段は、外部より道路交通情報を受信し、上記第２渋滞判定手段は、その判定を、交通道路情報に基づいて上記対向路線を通り曲がった先が渋滞であるか否かを判定することでもって行ってもよい。
【００１４】
また、本発明に係るナビゲーション装置においては、
上記対向路線側車線の渋滞が上記対向路線を通り曲がる自動車に起因する渋滞であると第２渋滞判定手段により判定された際に、案内経路が探索済みであるか否かを判定する第１経路判定手段（４００）と、
上記案内経路が探索済みと第１経路判定手段により判定された際には、当該案内経路は渋滞に係る対向路線側車線以外の車線を含むか否かを判定する第２経路判定手段（５００）とを備え、
報知手段は、上記案内経路が渋滞に係る対向路線側車線以外の車線を含むと第２経路判定手段により判定された際には、走行案内情報として推奨車線情報を報知し、上記案内経路が渋滞に係る対向路線側車線以外の車線を含まないと第２経路判定手段により判定された際には、走行案内情報として車線変更情報を報知するようにしてもよい。
【００１５】
これによれば、対向路線側車線の渋滞が対向路線を通り曲がる自動車に起因する渋滞で有る場合において、探索済みの案内経路が対向路線側車線以外の車線を含む場合には、走行案内情報として推奨車線情報を報知する。従って、ユーザは、探索済みの案内経路に基づき、事前に推奨車線情報を把握することができるので、例えば自車を、無関係な渋滞に巻き込まれないように走行させることができる。
【００１６】
また、探索済みの案内経路が対向路線側車線以外の車線を含まない場合には、走行案内情報として車線変更情報を報知する。従って、ユーザは、探索済みの案内経路に基づき、事前に車線変更情報を把握することができるので、例えば自車を、余裕をもって車線変更することができる。
【００１７】
また、本発明に係るナビゲーション装置は、
現在位置を検出する現在位置検出手段（１０）と、
地図データを記憶してなる記憶手段（４０）と、
外部よりプローブ情報を受信する受信手段（５０）と、
現在位置、地図データ及びプローブ情報に基づき、道路の前方において対向路線を通り曲がる自動車に起因する対向路線側車線（Ｒｒ、Ｒｈ）の渋滞があるか否かを判定する渋滞判定手段（２００、２００ａ、３００、３００ａ、３１０、３１０ａ）と、
上記対向路線側車線の渋滞が上記対向路線を通り曲がる自動車に起因する渋滞であると渋滞判定手段により判定された際には、走行案内情報を報知する報知手段（６０）とを備える。
【００１８】
これによれば、道路の前方の対向路線側車線の渋滞が対向路線を通り曲がる自動車に起因する渋滞である場合には、走行案内情報を報知する。従って、ユーザは、事前にその渋滞に対する走行案内情報を把握することができるので、例えば自車を、無関係な渋滞に巻き込まれないように走行させることができる。
【００１９】
また、本発明に係るナビゲーション装置は、
現在位置を検出する現在位置検出手段（１０）と、
地図データを記憶してなる記憶手段（４０）と、
外部よりプローブ情報を受信する受信手段（５０）と、
現在位置及び地図データに基づき、道路の前方の所定距離内に分岐路が存在するか否かを判定する分岐路判定手段（２００ａ）と、
上記分岐路が所定距離内に存在するとの分岐路判定手段による判定に伴い、道路のうち分岐路に進入する分岐路側車線（Ｒｈ）が渋滞しているか否かをプローブ情報に基づき判定する第１渋滞判定手段（３００ａ）と、
分岐路側車線が渋滞しているとの第１渋滞判定手段による判定に伴い、上記分岐路側車線の渋滞が分岐路に進入する自動車に起因する渋滞であるか否かを判定する第２渋滞判定手段（３１０ａ）と、
上記分岐路側車線の渋滞が上記分岐路に進入する自動車に起因する渋滞であると第２渋滞判定手段により判定された際には、走行案内情報を報知する報知手段（６０）とを備える。
【００２０】
これによれば、道路の前方の所定距離内に存在する分岐路に進入する分岐路側車線が渋滞である場合において、当該分岐路側車線の渋滞が分岐路に進入する自動車に起因する渋滞である場合には、走行案内情報を報知する。従って、ユーザは、事前にその渋滞に対する走行案内情報を把握することができるので、例えば自車を、無関係な渋滞に巻き込まれないように走行させることができる。
【００２１】
また、本発明に係るナビゲーション装置においては、上記分岐路側車線の渋滞が分岐路に進入する自動車に起因する渋滞でないと上記第２渋滞判定手段により判定された際には、報知手段は、渋滞情報を報知してもよい。
【００２２】
これによれば、分岐路側車線の渋滞が分岐路に進入する自動車に起因する渋滞でない場合には、渋滞情報を報知することで、ユーザは、事前にその渋滞情報を把握することができる。
【００２３】
また、本発明に係るナビゲーション装置においては、上記第２渋滞判定手段は、その判定を、プローブ情報に基づいて上記分岐路側車線以外の車線が渋滞であるか否かを判定することでもって行ってもよい。
【００２４】
また、本発明に係るナビゲーション装置においては、受信手段は、外部から道路交通情報を受信し、上記第２渋滞判定手段は、その判定を、交通道路情報に基づいて上記分岐路の所定範囲内において車線規制があるか否かを判定することでもって行ってもよい。
【００２５】
また、本発明に係るナビゲーション装置においては、上記第２渋滞判定手段は、その判定を、プローブ情報に基づいて上記分岐路の所定範囲内において当該分岐路に進入するように方向指示する自動車の割合が所定割合以上であるか否かを判定することでもって行ってもよい。
【００２６】
また、本発明に係るナビゲーション装置においては、受信手段は、外部から道路交通情報を受信し、上記第２渋滞判定手段は、その判定を、交通道路情報に基づいて上記分岐路に進入した先が渋滞であるか否かを判定することでもって行ってもよい。
【００２７】
また、本発明に係るナビゲーション装置においては、上記第２渋滞判定手段は、その判定を、道路交通情報に基づいて道路において上記分岐路以降が渋滞であるか否かを判定することでもって行ってもよい。
【００２８】
また、本発明に係るナビゲーション装置においては、
上記分岐路側車線の渋滞が上記分岐路に進入する自動車に起因する渋滞であると第２渋滞判定手段により判定された際に、案内経路が探索済みであるか否かを判定する第１経路判定手段（４００ａ）と、
上記案内経路が探索済みと第１経路判定手段により判定された際には、当該案内経路は渋滞に係る分岐路側車線以外の車線を含むか否かを判定する第２経路判定手段（５００ａ）とを備え、
報知手段は、上記案内経路が渋滞に係る分岐路側車線以外の車線を含むと第２経路判定手段により判定された際には、走行案内情報として推奨車線情報を報知し、上記案内経路が渋滞に係る分岐路側車線以外の車線を含まないと第２経路判定手段により判定された際には、走行案内情報として車線変更情報を報知するようにしてもよい。
【００２９】
これによれば、分岐路側車線の渋滞が分岐路に進入する自動車に起因する渋滞で有る場合において、探索済みの案内経路が分岐路側車線以外の車線を含む場合には、走行案内情報として推奨車線情報を報知する。従って、ユーザは、探索済みの案内経路に基づき、事前に推奨車線情報を把握することができるので、例えば自車を、無関係な渋滞に巻き込まれないように走行させることができる。
【００３０】
また、探索済みの案内経路が分岐路側車線以外の車線を含まない場合には、走行案内情報として車線変更情報を報知する。従って、ユーザは、探索済みの案内経路に基づき、事前に車線変更情報を把握することができるので、例えば自車を、余裕をもって車線変更することができる。
【００３１】
また、本発明に係るナビゲーション装置においては、上記走行案内情報は車線変更情報又は推奨車線情報であってもよい。
【００３２】
また、本発明に係るナビゲーション方法では、
現在位置及び地図データに基づき、道路の前方の所定距離内に交差点が存在するか否かを判定し、所定距離内に交差点が存在するとき、プローブ情報に基づき道路のうち対向路線側車線が渋滞している場合に、当該対向路線側車線の渋滞が対向路線を通り曲がる自動車に起因する渋滞であるか否かを判定し、
上記対向路線側車線の渋滞が上記対向路線を通り曲がる自動車に起因する渋滞であるとの判定の際には、走行案内情報を報知し、
上記対向路線側車線の渋滞が上記対向路線を通り曲がる自動車に起因する渋滞でないとの判定の際には、渋滞情報を報知する。
【００３３】
これによれば、道路の前方の所定距離内に存在する交差点に進入する対向路線側車線が渋滞である場合において、当該対向路線側車線の渋滞が対向路線を通り曲がる自動車に起因する渋滞である場合には、走行案内情報を報知する。従って、ユーザは、事前にその渋滞に対する走行案内情報を把握することができるので、例えば自車を、無関係な渋滞に巻き込まれないように走行させることができる。
【００３４】
また、対向路線側車線の渋滞が対向路線を通り曲がる自動車に起因する渋滞でない場合には、渋滞情報を報知することで、ユーザは、事前にその渋滞情報を把握することができる。
【００３５】
また、本発明に係るナビゲーション方法では、
現在位置、地図データ及びプローブ情報に基づき、道路の前方において、対向路線を通り曲がる自動車に起因する対向路線側車線が渋滞している場合に、上記対向路線側車線の渋滞が上記対向路線を通り曲がる自動車に起因する渋滞であるか否かを判定し、
上記対向路線側車線の渋滞が上記対向路線を通り曲がる自動車に起因する渋滞であるとの判定の際には、走行案内情報を報知するようにしてもよい。
【００３６】
これによれば、道路の前方の対向路線側車線の渋滞が対向路線を通り曲がる自動車に起因する渋滞である場合には、走行案内情報を報知する。従って、ユーザは、事前にその渋滞に対する走行案内情報を把握することができるので、例えば自車を、無関係な渋滞に巻き込まれないように走行させることができる。
【００３７】
また、本発明に係るナビゲーション方法では、
現在位置及び地図データに基づき、道路の前方の所定距離内に分岐路が存在するか否かを判定し、所定距離内に分岐路が存在するとき、プローブ情報に基づき道路のうち分岐路側車線が渋滞していると判定された場合に当該分岐路側車線の渋滞が上記分岐路に進入する自動車に起因する渋滞であるか否かを判定し、
上記分岐路側車線の渋滞が上記分岐路に進入する自動車に起因する渋滞であるとの判定の際には、走行案内情報を報知し、
上記分岐路側車線の渋滞が上記分岐路に進入する自動車に起因する渋滞でないとの判定の際には、渋滞情報を報知するようにしてもよい。
【００３８】
これによれば、道路の前方の所定距離内に存在する分岐路に進入する分岐路側車線が渋滞である場合において、当該分岐路側車線の渋滞が分岐路に進入する自動車に起因する渋滞である場合には、走行案内情報を報知する。従って、ユーザは、事前にその渋滞に対する走行案内情報を把握することができるので、例えば自車を、無関係な渋滞に巻き込まれないように走行させることができる。
【００３９】
また、分岐路側車線の渋滞が分岐路に進入する自動車に起因する渋滞でない場合には、渋滞情報を報知することで、ユーザは、事前にその渋滞情報を把握することができる。
【００４０】
なお、上記各手段の括弧内の符号は、後述する実施形態に記載の具体的手段との対応関係を示すものである。
【発明を実施するための最良の形態】
【００４１】
以下、本発明の一実施形態を図面に基づいて説明する。
（第１実施形態）
図１において、符号Ｎは、自動車（以下、自車ともいう）に搭載のナビゲーションシステムを示し、符号Ｃは、専用情報センターに設けた専用情報通信システムを示し、また、符号Ｔは、道路交通情報通信システムセンターに設けた道路交通情報通信システム（以下、ＶＩＣＳともいう）を示している。なお、「ＶＩＣＳ」は、上記道路交通情報センターの登録商標である。
【００４２】
当該ナビゲーションシステムＮは、現在位置検出装置１０を備えており、この現在位置検出装置１０は、ＧＰＳ受信装置であって、衛星航法システム（ＧＰＳともいう）の人工衛星から送信される電波を受信して、当該自車の現在位置を現在時刻と共に検出する。
【００４３】
また、当該ナビゲーションシステムＮは、入力装置２０を備えており、この入力装置２０は、携帯用リモートコントローラであって、その操作により、必要な情報をマイクロコンピュータ３０（後述する）の受信部（図示しない）に送信する。なお、リモートコントローラに代えて、例えば、出力装置６０の液晶パネル（後述する）にその表示面側から添着したタッチパネルを入力装置２０としてもよい。
【００４４】
また、当該ナビゲーションシステムＮは、マイクロコンピュータ３０、記憶装置４０、無線通信装置５０及び出力装置６０を備えている。マイクロコンピュータ３０は、上記受信部の他、ＣＰＵ、ＲＡＭ及びＲＯＭ等をバスラインで接続して構成されており、当該マイクロコンピュータ３０は、そのＣＰＵにより、図２及び図３にて示すフローチャートに従いコンピュータプログラムを実行する。
【００４５】
当該マイクロコンピュータ３０は、上記コンピュータプログラムの実行中において、現在位置検出装置１０の検出出力、入力装置２０の操作出力、記憶装置４０の出力、無線通信装置５０の出力や専用情報通信システムＣの出力に基づき、当該自車の地図表示、案内経路探索や経路案内等の種々の処理を行う。
【００４６】
本実施形態において、上記受信部は、マイクロコンピュータ３０に内蔵のものに限らず当該マイクロコンピュータ３０に外付けしたものであってもよい。なお、上記コンピュータプログラムは、マイクロコンピュータ３０のＲＯＭに、当該マイクロコンピュータ３０により読み出し可能に予め書き込まれている。
【００４７】
記憶装置４０は、ハードディスクであって、この記憶装置４０には、一連の地図データ、交通情報データ及びプローブデータがマイクロコンピュータ３０により読み出し可能にデータベースとして記憶されている。なお、プローブデータとはプローブカーＰにより出力される位置データ及び車速データ等を含めたデータをいう。
【００４８】
無線通信装置５０は、専用情報通信システムＣからの交通情報データ及びプローブデータを受信してマイクロコンピュータ３０に出力する。なお、専用情報通信システムＣは、ＶＩＣＳＴから受信する各種の交通情報データ及びプローブカーＰから受信するプローブデータを送信するようになっている。また、無線通信装置５０は、ＶＩＣＳＴから送信される各種の交通情報データ及びプローブカーＰから送信されるプローブデータを専用情報通信システムＣを介さず直接受信してもよい。
【００４９】
出力装置６０は、マイクロコンピュータ３０による制御のもと、当該自車において必要なデータを画面表示案内又は音声案内にて報知する。
【００５０】
以上のように構成した本第１実施形態において、一般道に沿い当該自車の走行開始に伴い、マイクロコンピュータ３０が、図２のフローチャートに従い、上記コンピュータプログラムの実行を開始すれば、ステップ１００において、入力装置２０による表示要求の有無が判定される。現段階において入力装置２０による表示要求がなければ、図２のステップ１００においてＮＯとの判定が繰り返される。
【００５１】
このような状態において、入力装置２０による所望の地図の表示要求があれば、ステップ１００においてＹＥＳと判定される。然る後、ステップ１１０において、上記所望の地図を表す地図データ（以下、所望地図データともいう）の記憶装置４０からの読み出し処理がなされる。これに伴い、上記所望地図データが記憶装置４０の上記データベースから読み出される。すると、ステップ１２０において、上記所望の地図の表示処理がなされる。これに伴い、出力装置６０が、上記所望の地図データに基づき所望の地図を画面表示する。
【００５２】
上述のようにステップ１２０での処理が終了すると、ステップ１３０において、目的地の選定の有無が判定される。ここで、入力装置２０の操作により目的地がマイクロコンピュータ３０に入力されていなければ、目的地の選定無しとして、ステップ１３０において、ＮＯと判定され、図３のステップ２００の処理がなされる。このことは、当該自車は目的地の選定無く走行することを意味する。
【００５３】
上述したステップ１３０において、入力装置２０の操作により目的地がマイクロコンピュータ３０に入力されていれば、目的地の選定有りとして、ＹＥＳと判定され、ステップ１４０において、経路探索処理がなされる。これに伴い、現在位置検出装置１０により検出された現在位置からステップ１３０において選定された目的地までの案内経路が探索される。
【００５４】
ついで、ステップ１５０において、経路案内処理がなされる。これに伴い、ステップ１４０において探索された案内経路に基づき経路案内処理を行う。このことは、当該自車はステップ１３０において選定された目的地に向かいステップ１４０において探索された案内経路に沿い走行することを意味する。
【００５５】
然る後、図３のステップ２００において、当該自車から進行方向所定距離内に交差点（以下、進入交差点という）が存在するか否かが判定される。上記所定距離内に進入交差点が存在しなければ、ステップ２００においてＮＯとの判定が繰り返される。
【００５６】
一方、上記所定距離内に進入交差点（図４参照）が存在すれば、ステップ２００においてＹＥＳと判定される。然る後、ステップ２１０において、進入交差点データ取得処理がなされる。これに伴い、無線通信装置５０が、上記進入交差点付近の交通情報データ及びプローブデータを専用情報通信システムＣから受信し、マイクロコンピュータ３０に出力する。
【００５７】
然る後、ステップ３００において、上記交通情報データ及びプローブデータに基づき、当該自車が上記進入交差点へ進入する右側車線（以下、進入右側車線Ｒｒ（図４参照）という）の渋滞の有無が判定される。ここで、ステップ２１０において取得したプローブデータ、例えば、プローブカーＰの位置データ及び車速データに基づき、当該進入右側車線Ｒｒが渋滞しているということであれば、ステップ３００において、ＹＥＳと判定され、ステップ３１０の処理がなされる。ここで、例えば、上記所定距離は、上記進入右側車線Ｒｒが渋滞していても余裕をもって当該進入右側車線Ｒｒに車線変更することができる距離をいう。
【００５８】
然る後、ステップ３１０において、上記進入交差点における進入右側車線Ｒｒ以外の車線が渋滞しているか否かが判定される。ここで、上述した進入右側車線Ｒｒの渋滞の場合と同様に、ステップ２１０において取得したプローブデータに基づき、当該進入右側車線Ｒｒ以外の車線も渋滞しているときには、ステップ３１０において、ＹＥＳと判定される。このことは、当該進入交差点が渋滞していることを示す。
【００５９】
ついで、ステップ６００において、渋滞情報報知処理がなされる。これに伴い、当該自車が渋滞している上記進入交差点に進入する前に、出力装置６０が、例えば、画面表示案内又は音声案内にて、上記渋滞を報知する。
【００６０】
また、上述したステップ３１０において、上記進入交差点における進入右側車線Ｒｒ以外の車線が渋滞していないときには、ＮＯと判定される。このことは、進入右側車線Ｒｒの渋滞が右折車のために引き起こされる右折渋滞であることを示す。
【００６１】
ついで、ステップ４００において、当該ナビゲーションシステムＮが案内経路を探索しているか否かが判定される。ここで、入力装置２０の操作により目的地が選定されておらず、当該ナビゲーションシステムＮが案内経路を探索していない場合、ステップ４００において、ＮＯと判定され、ステップ６００の処理が上述と同様になされる。
【００６２】
一方、上述したステップ４００において、当該ナビゲーションシステムＮが案内経路を探索しているために、ＹＥＳと判定されると、ステップ５００において、案内経路が渋滞車線以外の車線を含むか否かが判定される。ここで、当該案内経路が渋滞車線以外の車線を含む場合、例えば、図４にて示すごとく、当該案内経路が進入右側車線Ｒｒのみ右折渋滞している交差点を案内経路Ｒ1のように直進する場合には、ステップ５００において、ＹＥＳと判定され、ステップ７００の処理がなされる。
【００６３】
すると、このステップ７００において、渋滞情報報知処理がなされる。これに伴い、当該自車が上記進入交差点に上記所定距離内まで近づいたときに、出力装置６０は、例えば、画面表示案内又は音声案内にて、進入右側車線Ｒｒの右折渋滞を報知する。
【００６４】
然る後、ステップ７１０において、推奨車線報知処理がなされる。これに伴い、出力装置６０は、例えば、画面表示案内又は音声案内にて、上記渋滞車線を回避するための渋滞していない推奨車線を報知する。これにより、当該自車が渋滞している進入右側車線Ｒｒを余裕をもって回避できることとなる。
【００６５】
上述したステップ５００において、案内経路が渋滞車線以外の車線を含まない場合、例えば、図４にて示すごとく、当該案内経路が進入右側車線Ｒｒのみ右折渋滞している交差点を案内経路Ｒ2のように右折する場合には、ＮＯと判定され、ステップ８００において、渋滞情報報知処理がなされる。これに伴い、当該自車が当該進入交差点に上記所定距離内まで近づいたとき、出力装置６０は、例えば、画面表示案内又は音声案内にて、進入右側車線Ｒｒの右折渋滞を報知する。
【００６６】
然る後、ステップ８１０において、車線変更報知処理がなされる。これに伴い、出力装置６０は、例えば、画面表示案内又は音声案内にて、進入右側車線Ｒｒへの車線変更を報知する。これにより、当該自車が渋滞している進入右側車線Ｒｒに余裕をもって車線変更できることとなる。
【００６７】
以上説明したように、本第１実施形態では、一般道を走行する際、進入右側車線Ｒｒの渋滞が、右折車のために引き起こされる右折渋滞である場合には、その渋滞状況やその渋滞回避のための推奨車線を余裕をもってユーザに報知することができる。さらに、上記進入交差点にて、右折案内がされている場合には、上記渋滞状況に加えて、進入右側車線Ｒｒへの車線変更案内を余裕をもってユーザに報知することができる。
【００６８】
従って、ユーザは、これらの情報に基づき案内された走行車線を走行することにより、当該自車を当該案内経路に無関係な渋滞に巻き込まれないように走行させる。
（第２実施形態）
図５及び図６は、本発明の第２実施形態の要部を示している。この第２実施形態では、上記第１実施形態にて述べたフローチャートにおいて、図３のフローチャートを図５に示すフローチャートに変更した構成となっている。その他の構成は、上記第１実施形態にて述べたものと同様の構成となっている。
【００６９】
このように構成された本第２実施形態において、図２のステップ１００からステップ１５０までの処理が終了した後、図５のステップ２００ａにおいて、高速道を走行する当該自車から進行方向所定距離内に高速道のインターチェンジの出口（以下、ＩＣ出口ともいう）が存在するか否かが判定される。上記所定距離内にＩＣ出口が存在しなければ、ステップ２００ａにおいてＮＯとの判定が繰り返される。
【００７０】
一方、上記所定距離内にＩＣ出口（図６参照）が存在すれば、ステップ２００ａにおいてＹＥＳと判定される。然る後、ステップ２１０ａにおいて、ＩＣ出口データ取得処理がなされる。これに伴い、無線通信装置５０が、上記ＩＣ出口付近の交通情報データ及びプローブデータを専用情報通信システムＣから受信し、マイクロコンピュータ３０に出力する。
【００７１】
然る後、ステップ３００ａにおいて、上記交通情報データ及びプローブデータに基づき、当該自車が上記ＩＣ出口に進入する車線（以下、ＩＣ出口側車線Ｒｈ（図６参照）という）の渋滞の有無が判定される。ここで、ステップ２１０ａにおいて取得したプローブデータ、例えば、プローブカーＰの位置データ及び車速データに基づき、当該ＩＣ出口側車線Ｒｈが渋滞していることであれば、ステップ３００ａにおいて、ＹＥＳと判定され、ステップ３１０ａの処理がなされる。ここで、例えば、上記進行方向所定距離は、上記ＩＣ出口側車線Ｒｈが渋滞していても余裕をもって当該ＩＣ出口側車線Ｒｈに車線変更することができる距離をいう。
【００７２】
然る後、ステップ３１０ａにおいて、上記ＩＣ出口付近のＩＣ出口側車線Ｒｈ以外の車線が渋滞しているか否かが判定される。ここで、上述したＩＣ出口側車線Ｒｈの渋滞の場合と同様に、ステップ２１０ａにおいて取得したプローブデータに基づき、当該ＩＣ出口側車線Ｒｈ以外の車線も渋滞しているときには、ステップ３１０ａにおいて、ＹＥＳと判定される。このことは、当該ＩＣ出口付近が渋滞していることを示す。
【００７３】
ついで、ステップ６００ａにおいて、渋滞情報報知処理がなされる。これに伴い、当該自車が上記渋滞に入る前に、出力装置６０が、例えば、画面表示案内又は音声案内にて、上記渋滞を報知する。
【００７４】
また、上述したステップ３１０ａにおいて、上記ＩＣ出口付近におけるＩＣ出口側車線Ｒｈ以外の車線が渋滞していないときには、ＮＯと判定される。このことは、ＩＣ出口側車線Ｒｈが出口渋滞していることを示す。
【００７５】
ついで、ステップ４００ａにおいて、当該ナビゲーションシステムＮが案内経路を探索しているか否かが判定される。ここで、入力装置２０の操作により目的地が選定されておらず、当該ナビゲーションシステムＮが案内経路を探索していない場合、ステップ４００ａにおいて、ＮＯと判定され、ステップ６００ａの処理が上述と同様になされる。
【００７６】
一方、上述したステップ４００ａにおいて、当該ナビゲーションシステムＮが案内経路を探索しているために、ＹＥＳと判定されると、ステップ５００ａにおいて、案内経路が渋滞車線以外の車線を含むか否かが判定される。ここで、当該案内経路が渋滞車線以外の車線を含む場合、例えば、図６にて示すごとく、当該案内経路がＩＣ出口側車線Ｒｈのみ渋滞しているＩＣ出口付近を案内経路Ｒ3のように直進する場合には、ステップ５００ａにおいて、ＹＥＳと判定され、ステップ７００ａの処理がなされる。
【００７７】
すると、このステップ７００ａにおいて、渋滞情報報知処理がなされる。これに伴い、当該自車が上記ＩＣ出口に上記所定距離内まで近づいたときに、出力装置６０は、例えば、画面表示案内又は音声案内にて、ＩＣ出口側車線Ｒｈの渋滞を報知する。
【００７８】
然る後、ステップ７１０ａにおいて、推奨車線報知処理がなされる。これに伴い、出力装置６０は、例えば、画面表示案内又は音声案内にて、上記渋滞車線を回避するための渋滞していない推奨車線を報知する。これにより、当該自車が渋滞しているＩＣ出口側車線Ｒｈを余裕をもって回避できることとなる。
【００７９】
上述したステップ５００ａにおいて、案内経路が渋滞車線以外の車線を含まない場合、例えば、図６にて示すごとく、当該案内経路がＩＣ出口側車線Ｒｈのみ渋滞しているＩＣ出口へ案内経路Ｒ4のように進入する場合には、ＮＯと判定され、ステップ８００ａにおいて、渋滞情報報知処理がなされる。これに伴い、当該自車が当該ＩＣ出口に上記所定距離内まで近づいたとき、出力装置６０は、例えば、画面表示案内又は音声案内にて、ＩＣ出口側車線Ｒｈの出口渋滞を報知する。
【００８０】
然る後、ステップ８１０ａにおいて、車線変更報知処理がなされる。これに伴い、出力装置６０は、例えば、画面表示案内又は音声案内にて、ＩＣ出口側車線Ｒｈへの車線変更を報知する。これにより、当該自車が渋滞しているＩＣ出口側車線Ｒｈに余裕をもって車線変更できることとなる。
【００８１】
以上説明したように、本第２実施形態では、高速道を走行する際、ＩＣ出口側車線Ｒｈが渋滞している場合には、その渋滞状況やその渋滞回避のための推奨車線を余裕をもってユーザに報知することができる。さらに、上記ＩＣ出口が、進入が案内されているＩＣ出口である場合には、上記渋滞状況に加えて、ＩＣ出口側車線Ｒｈへの車線変更案内を余裕をもってユーザに報知することができる。
【００８２】
従って、ユーザは、これらの情報に基づき案内された走行車線を走行することにより、当該自車を当該案内経路に無関係な渋滞に巻き込まれないように走行させる。
【００８３】
なお、本発明の実施にあたり、上記実施形態に限ることなく、次のような種々の変形例が挙げられる。
（１）本発明は、自動車用ナビゲーション装置に限らず、例えば、携帯用ナビゲーション装置に適用してもよい。
（２）ステップ３１０（図３参照）において進入右側車線Ｒｒ以外の車線は渋滞か否かを判定することに代えて、図７にて示すごとく、ステップ３１０ｂにて右方向指示の割合が所定割合以上か否かを判定するようにしてもよい。
【００８４】
詳細には、ステップ２１０にて取得したプローブデータに基づき、ステップ３１０ｂにおいて、上記交差点の所定範囲内の進入車線Ｒｒにて右方向の方向指示器を出しているプローブカーＰの台数割合が所定割合以上か否かを判定する。そして、ステップ３１０ｂにてＮＯと判定されたとき、ステップ６００の処理をし、ステップ３１０ｂにてＹＥＳと判定されたときは、ステップ４００の処理を行う。
（３）ステップ３１０において進入右側車線Ｒｒ以外の車線は渋滞か否かを判定することに代えて、図８にて示すごとく、ステップ３１０ｃにおいて、進入交差点を右折した先は渋滞か否かを判定するようにしてもよい。
【００８５】
詳細には、ステップ２１０にて取得した交通情報データに基づき、ステップ３１０ｃにおいて、進入右側車線Ｒｒから進入交差点を右折した先が渋滞か否かを判定する。そして、ステップ３１０ｃにてＹＥＳと判定されたとき、ステップ６００の処理をし、ステップ３１０ｃにてＮＯと判定されたときは、ステップ４００の処理を行う。
（４）ステップ３１０において進入右側車線Ｒｒ以外の車線は渋滞か否かを判定することに加えて、図９にて示すごとく、ステップ３１１において渋滞地点で車線規制をしているか否かを判定するようにしてもよい。
【００８６】
即ち、ステップ２１０にて取得した交通情報データに基づき、ステップ３１１において上記交差点の付近の車線規制の工事を行っているか否かを判定するようにしてもよい。ここで、ステップ３１１にてＹＥＳと判定されたとき、ステップ６００の処理をし、ステップ３１１でＮＯと判定されたときは、ステップ４００の処理を行う。
（５）ステップ３１０において進入右側車線Ｒｒ以外の車線は渋滞か否かを判定することに代えて、例えば、当該ステップ３１０並びに上述した各ステップ３１０ｂ、３１０ｃ及び３１１のうちの１つ以上のステップにおける判定を採用してもよい。
【００８７】
具体的には、例えば、図３のフローチャートにおいて、ステップ３１０、ステップ３１０ｂ、ステップ３１０ｃ及びステップ３１１を直列に接続する構成を採用し、これらステップ３１０、ステップ３１０ｂ、ステップ３１０ｃ及びステップ３１１のうちのいずれかでＹＥＳと判定されたときステップ６００の処理をし、これらステップ３１０、ステップ３１０ｂ、ステップ３１０ｃ及びステップ３１１において全てＮＯと判定されたときは、ステップ４００の判定処理を行うようにしてもよい。これにより、ステップ６００或いはステップ４００への移行処理の精度が高くなる。
（６）ステップ３００（図３参照）における進入右側車線Ｒｒの渋滞か否かの判定は、右側走行規制の国をも考慮すれば、ステップ３００において、走行路線のうち対向路線側に位置する走行車線（対向路線側車線）が渋滞か否かを判定するようにすればよい。これに伴い、ステップ３１０では、進入対向路線側車線以外の車線は渋滞か否かが判定され、ステップ３１０ｂ（図７参照）では、対向路線側に曲がる方向指示の割合が所定割合以上か否かが判定され、ステップ３１０ｃ（図８参照）では、進入交差点を対向路線側へ曲がった先は渋滞か否かが判定されるようにすればよい。
【００８８】
ここで、進入対向路線側車線以外の車線の渋滞、対向路線側に曲がる方向指示の割合が所定割合以上であること或いは進入交差点を対向路線側へ曲がった先の渋滞は、対向路線側車線の渋滞が、対向路線を通り曲がる他車に起因する渋滞の例として把握してもよい。
（７）ステップ３１０ａ（図５参照）においてＩＣ出口側車線Ｒｈ以外の車線は渋滞か否かを判定することに代えて、図１０にて示すごとく、ステップ３１０ｄにて出口方向指示の割合が所定割合以上か否かを判定するようにしてもよい。
【００８９】
詳細には、ステップ２１０ａにて取得したプローブデータに基づき、ステップ３１０ｄにおいて、上記ＩＣ出口の所定範囲内のＩＣ出口側車線Ｒｈにて出口方向の方向指示器を出しているプローブカーＰの台数割合が所定割合以上か否かを判定する。そして、ステップ３１０ｄにてＮＯと判定されたとき、ステップ６００ａの処理をし、ステップ３１０ｄにてＹＥＳと判定されたときは、ステップ４００ａの処理を行う。
（８）ステップ３１０ａにおいてＩＣ出口側車線Ｒｈ以外の車線は渋滞か否かを判定することに代えて、図１１にて示すごとく、ステップ３１０ｅにおいて、当該ＩＣ出口に進入した先は渋滞か否かを判定するようにしてもよい。
【００９０】
詳細には、ステップ２１０ａにて取得した交通情報データに基づき、ステップ３１０ｅにおいて、ＩＣ出口側車線Ｒｈから当該ＩＣ出口を退出した先が渋滞か否かを判定する。そして、ステップ３１０ｅにてＹＥＳと判定されたとき、ステップ６００ａの処理をし、ステップ３１０ｅにてＮＯと判定されたときは、ステップ４００ａの処理を行う。
（９）ステップ３１０ａにおいてＩＣ出口側車線Ｒｈ以外の車線は渋滞か否かを判定することに代えて、図１２にて示すごとく、ステップ３１０ｆにおいて、当該ＩＣ出口以降の高速道は渋滞か否かを判定するようにしてもよい。
【００９１】
詳細には、ステップ２１０ａにて取得した交通情報データに基づき、ステップ３１０ｆにおいて、当該ＩＣ出口以降の高速道が渋滞か否かを判定する。そして、ステップ３１０ｆにてＹＥＳと判定されたとき、ステップ６００ａの処理をし、ステップ３１０ｆにてＮＯと判定されたときは、ステップ４００ａの処理を行う。
（１０）ステップ３１０ａにおいてＩＣ出口側車線Ｒｈ以外の車線は渋滞か否かを判定することに加えて、図１３にて示すごとく、ステップ３１１ａにおいて渋滞地点で車線規制をしているか否かを判定するようにしてもよい。
【００９２】
即ち、ステップ２１０ａにて取得した交通情報データに基づき、ステップ３１１ａにおいて上記ＩＣ出口の付近の車線規制の工事を行っているか否かを判定するようにしてもよい。ここで、ステップ３１１ａにてＹＥＳと判定されたとき、ステップ６００ａの処理をし、ステップ３１１ａでＮＯと判定されたときは、ステップ４００ａの処理を行う。
（１１）ステップ３１０ａにおいてＩＣ出口側車線Ｒｈ以外の車線は渋滞か否かを判定することに代えて、例えば、当該ステップ３１０ａ並びに上述した各ステップ３１０ｄ、３１０ｅ、３１０ｆ及び３１１ａのうちの１つ以上のステップにおける判定を採用してもよい。
【００９３】
具体的には、例えば、図５のフローチャートにおいて、ステップ３１０ａ、ステップ３１０ｄ、ステップ３１０ｅ、３１０ｆ及びステップ３１１ａを直列に接続する構成を採用し、これらステップ３１０ａ、ステップ３１０ｄ、ステップ３１０ｅ、３１０ｆ及びステップ３１１ａのうちのいずれかでＹＥＳと判定されたときステップ６００ａの処理をし、これらステップ３１０ａ、ステップ３１０ｄ、ステップ３１０ｅ、３１０ｆ及びステップ３１１ａにおいて全てＮＯと判定されたときは、ステップ４００ａの判定処理を行うようにしてもよい。これにより、ステップ６００ａ或いはステップ４００ａへの移行処理の精度が高くなる。
（１２）ステップ２００ａ（図５参照）においては、所定距離内にＩＣ出口が存在するか否かを判定することに限らず、所定距離内に分岐路が存在するか否かを判定するようにしてもよい。これに伴い、ステップ２１０ａでは、分岐路データが取得され、ステップ３００ａでは、分岐路に進入する分岐路側車線は渋滞か否かが判定される。
【００９４】
然る後、ステップ３１０ａでは、分岐路側車線以外の車線は渋滞か否かが判定され、ステップ３１０ｄ（図１０）では、分岐路に進入する方向の方向指示の割合が所定割合以上か否かが判定され、ステップ３１０ｅ（図１１）では、分岐路に進入した先が渋滞か否かが判定され、ステップ３１０ｆ（図１２）では、分岐路以降が渋滞か否かが判定されるようにしてもよい。なお、上記分岐路は、一般道又は高速道において走行路線から分岐する道路である。
【図面の簡単な説明】
【００９５】
【図１】本発明に係る自動車用ナビゲーションシステムの概略構成図を示す。
【図２】図１のマイクロコンピュータにて実行されるコンピュータプログラムを表すフローチャートの一部である。
【図３】図１のマイクロコンピュータにて実行されるコンピュータプログラムを表すフローチャートの一部である。
【図４】進入交差点と進入右側車線との関係を示す図である。
【図５】本発明の第２実施形態において、マイクロコンピュータにて実行されるコンピュータプログラムを表すフローチャートの要部である。
【図６】ＩＣ出口とＩＣ出口側車線との関係を示す図である。
【図７】プローブデータから取得する右方向指示の割合に基づき進入右側車線が右折渋滞しているか否かを判定するフローチャートの要部である。
【図８】交通情報データから取得する進入交差点の右折先が渋滞か否かに基づき進入右側車線が右折渋滞しているか否かを判定するフローチャートの要部である。
【図９】図３のフローチャートにおいて渋滞地点での交通情報データから取得する車線規制の有無の判定を追加したフローチャートの要部である。
【図１０】プローブデータから取得する出口方向指示の割合に基づきＩＣ出口側車線が渋滞しているか否かを判定するフローチャートの要部である。
【図１１】交通情報データから取得するＩＣ出口進入先が渋滞しているか否かに基づきＩＣ出口側車線が渋滞しているか否かを判定するフローチャートの要部である。
【図１２】交通情報データから取得するＩＣ出口以降の高速道が渋滞しているか否かに基づきＩＣ出口側車線が渋滞しているか否かを判定するフローチャートの要部である。
【図１３】図５のフローチャートにおいて渋滞地点での交通情報データから取得する車線規制の有無の判定を追加したフローチャートの要部である。
【符号の説明】
【００９６】
Ｃ…交通情報通信システム、Ｒｈ…ＩＣ出口側車線、Ｒｒ…進入右側車線、１０…現在位置検出装置、４０…記憶装置、５０…無線通信装置、６０…出力装置。
【図１】
2005249655.tif 000003
【図２】
2005249655.tif 000004
【図３】
2005249655.tif 000005
【図４】
2005249655.tif 000006
【図５】
2005249655.tif 000007
【図６】
2005249655.tif 000008
【図７】
2005249655.tif 000009
【図８】
2005249655.tif 000010
【図９】
2005249655.tif 000011
【図１０】
2005249655.tif 000012
【図１１】
2005249655.tif 000013
【図１２】
2005249655.tif 000014
【図１３】
2005249655.tif 000015